(57)【要約】【課題】蓋板を簡単に閉じることができ、閉蓋状態が維持されるようにする。【解決手段】蓋板４が繋がる基板１と、その両側に連設した側板２と、蓋板４の先端に臨む覆板３とを有し、蓋板４と側板２とを折込片５を介して繋ぎ、蓋板４と折込片５の境界に蓋折線６を、側板２と折込片５の境界に側折線７をそれぞれ入れ、折込片５に基板１側の角部から斜めに延びる中折線８を入れ、中折線８に沿って折込片５を折り込み、蓋板４を閉じる箱Ａにおいて、前記中折線８と蓋折線６のなす角度を、中折線８と側折線７のなす角度よりも小さくすると共に、蓋折線６の折曲反発力を、側折線７の折曲反発力よりも大きくなるようにし、蓋板４を途中まで閉じると、蓋板４に閉止方向の力が作用して、蓋板４が全閉状態となるまで自動的に閉じ、その状態が維持されるようにする。【選択図】図３
2013189226.tif 000002
【特許請求の範囲】
【請求項１】
蓋板(4)が繋がる基板(1)と、その両側に連設した側板(2)と、蓋板(4)の先端に臨む覆板(3)とを有し、蓋板(4)と側板(2)とを折込片(5)を介して繋ぎ、蓋板(4)と折込片(5)の境界に蓋折線(6)を、側板(2)と折込片(5)の境界に側折線(7)をそれぞれ入れ、折込片(5)に基板(1)側の角部から斜めに延びる中折線(8)を入れ、中折線(8)に沿って折込片(5)を折り込み、蓋板(4)を閉じる箱において、前記中折線(8)と蓋折線(6)のなす角度を、中折線(8)と側折線(7)のなす角度よりも小さくし、蓋板(4)を途中まで閉じると、蓋板(4)に閉止方向の力が作用して、蓋板(4)が全閉状態となるまで自動的に閉じ、その状態が維持されるようにしたことを特徴とする簡易閉止箱。
【請求項２】
請求項１に記載の簡易閉止箱において、前記蓋折線(6)の折曲反発力を、側折線(7)の折曲反発力よりも大きくなるようにし、蓋板(4)に作用する閉止方向の力を増大させたことを特徴とする簡易閉止箱。
【発明の詳細な説明】
【技術分野】
【０００１】
この発明は、閉蓋及び封緘を容易に行えるようにした簡易閉止箱に関するものである。
【背景技術】
【０００２】
例えば、下記特許文献１には、カステラやケーキ等の長尺状の生菓子類を包装する箱として、図７に示すように、両端の蓋板５４が繋がる基板５１と、その両側に連設した上広がり台形状の側板５２と、蓋板５４の先端に臨む覆板５３とを有し、蓋板５４と側板５２とを折込片５５を介して繋いだものが記載されている。
【０００３】
この箱には、蓋板５４と折込片５５の境界に蓋折線５６が、側板５２と折込片５５の境界に側折線５７がそれぞれ入れられ、折込片５５に、基板５１側の角部から斜めに延びる中折線５８が入れられている。
【０００４】
また、中折線５８と蓋折線５６のなす角度と、中折線５８と側折線５７のなす角度とは等しく、蓋折線５６と側折線５７とは、いずれも通常の押罫とされている。
【０００５】
そして、この箱で生菓子類を包装する際には、中折線５８に沿って折込片５５を折り込み、蓋板５４を閉じ、覆板５３、蓋板５４及び折込片５５の両端から延びるフランジ５９を貼り合わせて封緘する。
【先行技術文献】
【特許文献】
【０００６】
【特許文献１】実用新案登録第２５３７８２３号公報
【発明の概要】
【発明が解決しようとする課題】
【０００７】
しかしながら、この箱では、物品の包装に際し、折込片５５の折り込みに伴う反発力に抗して蓋板５４を閉じ、フランジ５９を貼り合わせなければならず、封緘作業に手間がかかるという問題がある。
【０００８】
そこで、この発明は、蓋板を簡単に閉じることができ、閉蓋状態が維持されるようにすることを課題とする。
【課題を解決するための手段】
【０００９】
上記課題を解決するため、この発明は、蓋板が繋がる基板と、その両側に連設した側板と、蓋板の先端に臨む覆板とを有し、蓋板と側板とを折込片を介して繋ぎ、蓋板と折込片の境界に蓋折線を、側板と折込片の境界に側折線をそれぞれ入れ、折込片に基板側の角部から斜めに延びる中折線を入れ、中折線に沿って折込片を折り込み、蓋板を閉じる箱において、前記中折線と蓋折線のなす角度を、中折線と側折線のなす角度よりも小さくすると共に、蓋折線の折曲反発力を、側折線の折曲反発力よりも大きくなるようにし、蓋板を途中まで閉じると、蓋板に閉止方向の力が作用して、蓋板が全閉状態となるまで自動的に閉じ、その状態が維持されるようにしたのである。
【発明の効果】
【００１０】
この発明に係る箱では、折込片の折り込みに伴う蓋折線、側折線及び中折線に沿った折り曲げの反発に煩わされることなく、物品を箱詰めして容易に封緘することができ、包装作業を効率よく行うことができる。
【図面の簡単な説明】
【００１１】
【図１】この発明の第１実施形態に係る簡易閉止箱のブランクを示す図
【図２】同上の組立過程を示す斜視図
【図３】同上の閉蓋過程を示す斜視図
【図４】同上の閉蓋状態を示す斜視図
【図５】同上のラップラウンドケースへの取付過程を示す斜視図
【図６】この発明の第２実施形態に係る簡易閉止箱の閉蓋過程を示す図
【図７】特許文献１に記載の箱の閉蓋状態を示す斜視図
【発明を実施するための形態】
【００１２】
以下、この発明の実施形態を添付図面に基づいて説明する。
【００１３】
第１実施形態に係る箱Ａは、図５に示すように、ポテトチップスが入った円筒状容器Ｐを収納して、ビール等の飲料缶を包装したラップラウンドケースＣに付属させる段ボール箱である。
【００１４】
図１に示すように、この箱Ａのブランクでは、長方形の基板１の対向する長辺に先広がり台形状の側板２が連設され、各側板２の先端に覆板３がそれぞれ連設されている。覆板３の先端中央部には、先窄まりの差込片３ａが設けられている。
【００１５】
蓋板４と側板２とは、三角状の折込片５を介して繋がれ、蓋板４と折込片５の境界には蓋折線６が、側板２と折込片５の境界には側折線７がそれぞれ入れられている。折込片５には、基板１側の角部から斜めに延びる中折線８が入れられ、その角部側に折込時の抵抗を軽減する逃穴９が設けられている。
【００１６】
ここで、中折線８と蓋折線６のなす角度αは、中折線８と側折線７のなす角度βよりも小さくなるように設定されている。具体的には、角度αは、２３．４３°とされ、角度βは、２６°とされている。
【００１７】
蓋折線６は、段ボールの裏面側から入れた通常の押罫とされているが、側折線７は、段ボールを厚さ方向に貫通する全切線と押罫とを交互に入れたリード罫とされ、そのうち全切線が２／３程度の割合に亘っている。中折線８もまたリード罫とされ、そのうち全切線が１／２程度の割合となっている。
【００１８】
これにより、折込片５の折込時に作用する反発力は、蓋折線６が最も大きく、側折線７が最も小さく、中折線８がその中間となるように設定されている。
【００１９】
このようなブランクから箱Ａを組み立てて使用するには、図２に示すように、基板１と一対の側板２と覆板３とが四角筒状をなすように折り曲げ、覆板３同士を貼り合わせ、この状態で、端面の開口部から内容物を収納する。
【００２０】
そして、図３に示すように、段ボールの表面から見て蓋折線６及び側折線７が山折りとなり、中折線８が谷折りとなるように、中折線８に沿って折込片５を折り込みつつ、蓋板４を閉じる。
【００２１】
このとき、蓋板４を途中まで閉じると、蓋板４に閉止方向の力が作用して、蓋板４が図４に示す全閉状態となるまで自動的に閉じ、その状態が維持される。
【００２２】
従って、上記のような箱Ａでは、折込片５の折り込みに伴う蓋折線６、側折線７及び中折線８に沿った折り曲げの反発に煩わされることなく、容易に封緘することができ、包装作業を効率よく行うことができる。
【００２３】
その後、この箱Ａは、図５に示すように、ラップラウンドケースＣに付属させる。ラップラウンドケースＣは、側面板２１，２２からそれぞれ延出した内フラップ２３と外フラップ２４とを貼り合わせて封緘するものであり、この箱ＡをラップラウンドケースＣに付属させる際には、差込片３ａを外フラップ２４の突合部間の隙間に差し込み、箱ＡとラップラウンドケースＣとを粘着テープで固定する。
【００２４】
一方、この箱Ａの蓋板４を開く際には、両側の側板２を握るように強く押すと、蓋折線６、側折線７及び中折線８の折曲反発力の方向が蓋板４を押し出す方向へずれて、蓋板４が飛び出すように自動的に開く。
【００２５】
なお、上記実施形態では、側板２が台形状で、基板１、側板２及び覆板３が四角筒状をなすものを例示したが、側板２が長方形であって、組立形状が通常の直方体状となる箱においても、蓋板４の閉止に伴い折り込まれる折込片５の部分について、同様の構成を適用することができる。
【００２６】
また、基板１と覆板３とが平行に対向するものを例示したが、図６に示す第２実施形態のように、直方体状であって、基板１と側板２と覆板３とがコーナーを構成し、蓋板４が基板１と同一面に存在する箱Ｂにおいても、蓋板４の閉止に伴い折り込まれる折込片５の部分について、同様の構成を適用することができる。
【符号の説明】
【００２７】
Ａ，Ｂ  箱
１  基板
２  側板
３  覆板
３ａ  差込片
４  蓋板
５  折込片
６  蓋折線
７  側折線
８  中折線
９  逃穴
Ｃ  ラップラウンドケース
２１，２２  側面板
２３  内フラップ
２４  外フラップ
Ｐ  円筒状容器
【図１】
2013189226.tif 000003
【図２】
2013189226.tif 000004
【図３】
2013189226.tif 000005
【図４】
2013189226.tif 000006
【図５】
2013189226.tif 000007
【図６】
2013189226.tif 000008
【図７】
2013189226.tif 000009